(57)【特許請求の範囲】
【請求項１】
物品を販売する店内に設置可能な本体と、
前記本体の前面に取り付けられ、品物を試着した被写体を当該本体の前で撮像する撮像部と、
前記撮像部により撮像された画像を処理する画像処理部と、
前記撮像部が取り付けられた前記本体の前面に設けられ、画面領域が複数に分割された分割画面を有し、前記画像処理部により処理された画像を前記分割画面に表示する表示部と、
前記被写体の静止画像を生成するための操作部とを備え、
前記画像処理部は、
前記撮像部により撮像された前記被写体の画像を各々の前記分割画面に動画表示させ、前記操作部から操作信号を入力し、当該操作信号に対応する前記分割画面で動画表示されている前記被写体の画像を捉え、当該分割画面で前記被写体の静止画像を鏡像表示させることを特徴とする撮像表示装置。
【請求項２】
前記被写体を検出して前記画像処理部に検出信号を出力するセンサーを備え、
前記画像処理部は、
前記センサーから検出信号を入力して、前記撮像部により撮像された画像を前記分割画面に動画表示させ、前記操作部から操作信号を入力して前記画像を前記分割画面に静止画表示させることを特徴とする請求項１に記載の撮像表示装置。
【請求項３】
前記画像処理部は、
前記操作部から操作信号を入力して、前記分割画面で鏡像表示されている前記被写体の静止画像から前記撮像部により撮像される当該被写体の画像を動画表示させることを特徴とする請求項１に記載の撮像表示装置。
【請求項４】
前記画像処理部は、
コンテンツ用の動画像を記憶するメモリを備え、
前記センサーから検出信号を入力しない場合、前記メモリに記憶されたコンテンツ用の動画像を前記表示部に表示させることを特徴とする請求項２に記載の撮像表示装置。
【請求項５】
前記撮像部は１つの撮像部から構成され、
前記表示部は画面が左右の２つに分割された左画面及び右画面を有し、前記操作部は左ボタン及び右ボタンを備え、
前記画像処理部は、
前記１つの撮像部により撮像された画像を前記左画面及び右画面に動画表示した状態で、前記操作部の左ボタンが押下されて前記画像を前記左画面に静止画表示させ、前記操作部の右ボタンが押下されて前記画像を前記右画面に静止画表示させることを特徴とする請求項１に記載の撮像表示装置。
【請求項６】
物品を販売する店内に設置可能な撮像表示装置が制御部を有し、
前記制御部が、
当該撮像表示装置を前にした被写体を検出して撮像するステップと、
画面領域が複数に分割された分割画面の各々に、撮像された前記被写体の画像を動画表示するステップと、
前記被写体の静止画像を生成するための操作信号を入力するステップと、
入力された前記操作信号に対応する前記分割画面で動画表示されている前記被写体の画像を捉え、当該分割画面で前記被写体の静止画像を鏡像表示するステップとを実行することを特徴とする撮像表示方法。
【発明の詳細な説明】
【技術分野】
【０００１】
本発明は、被写体を撮像して表示する撮像表示装置及び撮像表示方法に関し、特に商品を試着した姿を自分自身で撮影して表示するものである。
【背景技術】
【０００２】
従来、商品を試着して購入する場合、商品を試着した自分の姿を鏡に映して気に入れば購入することが多い。例えば、メガネを試着する場合、自分の度数付きのメガネを外して店内のメガネをかける。このとき、店内のメガネには度数が入っていないため、メガネを試着した状態で鏡に映った自分の姿を見ても、その姿がぼやけてしまい、試着したメガネが自分に似合っているのか、若しくは似合っていないのか判断し難いことが多かった。この場合、店員が、メガネを試着した購入者に対して助言し、購入者は、店員の助言を頼りにしながら試着した複数のメガネの中から選択する。
【０００３】
また、試着した姿を確認するために、被写体を撮像するカメラと、撮像した画像を表示するモニタを備えた表示装置が提案されている。この表示装置は、被写体をカメラにより写してその画像をモニタ全体にリアルタイムで表示する。例えば、この表示装置における複数の操作ボタンを店員が操作して、購入者がメガネを試着した姿をカメラにより写してモニタ全体にリアルタイムで表示する。店員が撮影ボタンを選択して押下すると、表示装置は、メガネを試着した姿を撮影してモニタ全体に静止画像を表示すると共にメモリに保存する。
【０００４】
さらに、異なる角度の試着姿や異なるメガネを試着した姿を撮影する場合、同じ操作を繰り返す。店員は、複数のメガネの試着姿を撮影して、最後にモニタに全てのメガネの試着姿の画像を表示する。これにより、購入者は、自分の度数付きのメガネを装着して表示装置のモニタを見ながら複数パターンの試着姿を容易に比較することができる。
【０００５】
このような従来例に関連して特許文献１には画像選択表示装置が開示されている。この画像選択表示装置によれば、例えばメガネを試着した姿を複数パターン撮影して夫々の画像を保存し、保存された複数枚の画像を複数の区画に分割された画面に表示するものである。
【先行技術文献】
【特許文献】
【０００６】
【特許文献１】特開昭６３−３００８３号公報
【発明の概要】
【発明が解決しようとする課題】
【０００７】
ところで最近では、メガネの低価格化が進み、店員の接客スタイルも様変わりしてきている。例えば、昔のように、店員と購入者がメガネのフレームの選択からレンズの選択までを１対１で行うものではなく、最近では購入者が１人でメガネのフレームを選択することが増えてきている。これにより、接客する店員の人数を減らすことができるので、メガネの単価を下げることができるようになる。
【０００８】
しかしながら、購入者が１人でメガネのフレームを選択する場合、上述したように店内のメガネには度数が入っていないため、メガネを試着した状態で鏡に映った自分の姿を見ても、その姿がぼやけてしまい、試着したメガネが自分に似合っているのか、若しくは似合っていないのか判断し難い。また、特許文献１などの試着姿をモニタに表示する装置を用いる場合、通常、購入者は装置の操作方法が分からないので、店員が装置を操作する必要がある。
【０００９】
そこで、本発明はこのような従来例に係る問題を解決したものであって、品物を試着した自分の姿を自分自身で容易に撮影できるようにすると共に、撮影した複数枚の画像を比較できるようにした撮像表示装置及び撮像表示方法を提供することを目的とする。
【課題を解決するための手段】
【００１０】
上述した課題を解決するために、本発明に係る撮像表示装置は、物品を販売する店内に設置可能な本体と、前記本体の前面に取り付けられ、品物を試着した被写体を当該本体の前で撮像する撮像部と、前記撮像部により撮像された画像を処理する画像処理部と、前記撮像部が取り付けられた前記本体の前面に設けられ、画面領域が複数に分割された分割画面を有し、前記画像処理部により処理された画像を前記分割画面に表示する表示部と、前記被写体の静止画像を生成するための操作部とを備え、前記画像処理部は、前記撮像部により撮像された前記被写体の画像を各々の前記分割画面に動画表示させ、前記操作部から操作信号を入力し、当該操作信号に対応する前記分割画面で動画表示されている前記被写体の画像を捉え、当該分割画面で前記被写体の静止画像を鏡像表示させるものである。
【００１１】
また、本発明に係る撮像表示方法は、物品を販売する店内に設置可能な撮像表示装置が制御部を有し、前記制御部が、当該撮像表示装置を前にした被写体を検出して撮像するステップと、画面領域が複数に分割された分割画面の各々に、撮像された前記被写体の画像を動画表示するステップと、前記被写体の静止画像を生成するための操作信号を入力するステップと、入力された前記操作信号に対応する前記分割画面で動画表示されている前記被写体の画像を捉え、当該分割画面で前記被写体の静止画像を鏡像表示するステップとを実行するものである。
【００１２】
本発明において、撮像部が取り付けられた本体の前面に設けられた表示部は、画面領域が複数に分割された分割画面を有する。画像処理部は、撮像部により撮像された被写体の画像を各々の分割画面に動画表示させ、操作部から操作信号を入力し、当該操作信号に対応する分割画面で動画表示されている被写体の画像を捉え、当該分割画面で被写体の静止画像を鏡像表示させる。
【００１３】
例えば、試着姿の被写体を検出して画像処理部に検出信号を出力するセンサーを備える。画像処理部はセンサーから検出信号を入力して、撮像部により撮像された被写体の試着姿の画像を各々の分割画面に動画表示させ、操作部から操作信号を入力し、当該操作信号に対応する分割画面で動画表示されている被写体の試着姿の画像を捉え、当該分割画面で被写体の試着姿の静止画像を鏡像表示させる。これにより、物品を販売する店内に撮像表示装置を設置しておけば、購入者は、品物を試着した自分の姿を自分自身で容易に撮影できる。一方、画像処理部は、センサーから検出信号を入力しない場合、メモリに記憶されたコンテンツ用の動画像を表示部に表示させる。
【発明の効果】
【００１４】
本発明に係る撮像表示装置及び撮像表示方法によれば、物品を販売する店内に設置可能な本体の前面に撮像部が取り付けられ、この撮像部により撮像された、当該本体を前にして品物を試着した被写体の画像を本体の表示部の各々の分割画面に動画表示し、操作部から操作信号を入力し、当該操作信号に対応する分割画面で動画表示されている被写体の正面の画像を捉え、当該本体の前面の表示部の分割画面で被写体の正面の静止画像を鏡像表示するものである。
【００１５】
これにより、物品を販売する店内に撮像表示装置を設置しておけば、購入者は、品物を試着した自分の姿を自分自身で容易に撮影できるようになり、撮影した複数枚の画像を分割画面で比較できるようになる。従って、購入者が１人で品物を選択することができるので店員の人数を減らすことができ、物品の単価を下げることができるようになる。
【図面の簡単な説明】
【００１６】
【図１】第１の実施形態としての撮像表示装置１００の構成例を示す斜視図である。
【図２】撮像表示装置１００の使用例を示す斜視図である。
【図３】Ａ及びＢは、ディスプレイ２の表示例（その１）を示す図である。
【図４】Ａ及びＢは、ディスプレイ２の表示例（その２）を示す図である。
【図５】ディスプレイ２の表示例（その３）を示す図である。
【図６】撮像表示装置１００の制御系の構成例を示すブロック図である。
【図７】撮像表示装置１００の動作例を示すフローチャートである。
【図８】第２の実施形態としての撮像表示装置１００Ａの制御系の構成例を示すブロック図である。
【図９】撮像表示装置１００Ａの動作例を示すフローチャートである。
【図１０】Ａ及びＢは、壁面１７に撮像表示装置１００Ｂを設置する例を示す図である。
【図１１】撮像表示装置１００Ｂの構成例を示す裏面図である。
【図１２】スタンド２０に撮像表示装置１００Ｂを設置する例を示す図である。
【発明を実施するための形態】
【実施例１】
【００１７】
続いて、図面を参照しながら本発明に係る撮像表示装置及び撮像表示方法の実施形態について説明する。図１に示す撮像表示装置１００は、ディスプレイの画面領域が複数に分割された分割画面に自分自身で撮影した試着姿を表示することで、購入者が、複数枚の試着姿の画像を分割画面で容易に比較できるようにして１人で品物を選択できるようにするものである。
【００１８】
図１に示す撮像表示装置１００は、被写体を撮像して画像を表示する本体１０と、この本体１０を支持する支持台１１を備えている。本体１０の接続部１０ａが支持台１１に回動自在に取り付けられている。これにより、支持台１１に対して本体１０を回動できるので、本体１０の角度を調整できるようになる。
【００１９】
本体１０には、カメラ１、ディスプレイ２、操作部３、センサー４、画像処理部５（図６参照）及びスピーカー６が設けられている。カメラ１は撮像部の一例であり本体１０の上部に１台設けられ、被写体を撮像する。カメラ１には、例えばCCD(Charge Coupled Device)を用い、実効分解能は１０２４×６００とする。カメラ１の撮影距離は約２０ｃｍ〜６０ｃｍである。カメラ１は、水平方向に対して１３±２度下向きに取り付ける。これにより、カメラ１は、購入者がディスプレイ２を見た状態で購入者の正面を捉えることができる。
【００２０】
図６に示す画像処理部５は、カメラ１により撮像された画像を処理する。ディスプレイ２は表示部の一例であり、例えばＬＣＤ（Liquid Crystal Display）を用いる。ディスプレイ２は、一例として８．９インチのワイドタイプを採用し、分解能が１０２４×６００である。ディスプレイ２は、画面領域が複数に分割された分割画面を有し、画像処理部５により処理された画像を分割画面に表示する。例えば画像処理部５は、ディスプレイ２の分割画面に静止画像を鏡像表示する。この例では、ディスプレイ２は、画面が左右の２つに分割された左画面２Ｌ及び右画面２Ｒを有している。左画面２Ｌ及び右画面２Ｒには、カメラ１により撮像された画像が表示される。
【００２１】
センサー４は本体１０の正面の下部に設けられ、被写体を検出して画像処理部５に検出信号を出力する。例えば、センサー４には反射型のフォトセンサーが用いられる。センサー４は、１．０ｍ〜１．５ｍの範囲を検出する。
【００２２】
操作部３は本体１０の正面の下部に設けられ、被写体の静止画像を生成するために用いられる。操作部３は左ボタン３Ｌ及び右ボタン３Ｒを備えている。左ボタン３Ｌはディスプレイ２の左画面２Ｌの下部に配置され、右ボタン３Ｒはディスプレイ２の右画面２Ｒの下部に配置されている。左ボタン３Ｌ及び右ボタン３Ｒには、例えばモメンタリースイッチを用いる。このモメンタリースイッチはボタンが押されてスイッチＯＮし、ボタンから手が離れると元の状態に戻るスイッチである。
【００２３】
画像処理部５はセンサー４から検出信号を入力して、カメラ１により撮像された画像をディスプレイ２の分割画面にリアルタイムで動画表示する。また、画像処理部５は操作部３から操作信号を入力して、カメラ１により撮像された画像をディスプレイ２の分割画面に静止画表示する。例えば、操作部３の左ボタン３Ｌが押下されると、ディスプレイ２は、カメラ１により撮像された画像を左画面２Ｌに静止画表示し、操作部３の右ボタン３Ｒが押下されると画像を右画面２Ｒに静止画表示する。
【００２４】
これにより、メガネなどの物品を販売する店内に撮像表示装置１００を設置しておけば、購入者は、メガネを試着した自分の姿を自分自身で撮影できるようになり、撮影した複数枚の画像を分割画面で容易に比較できるようになる。従って、購入者が１人でメガネを選択することができるので店員の人数を減らすことができ、メガネの単価を下げることができるようになる。
【００２５】
電源ランプ１２は、本体１０の下部に設けられ、電源ＯＦＦの状態で消灯し、電源ＯＮすると赤色に点灯する。電源ＯＮして電源ランプ１２が赤色に点灯後、左ボタン３Ｌを５秒以上押下し続けると撮像表示装置１００が起動を開始する。起動を開始すると起動画面がディスプレイ２に表示され、約１分以内に起動が完了して電源ランプ１２が緑色に点灯する。電源ランプ１２が緑色に点灯後、撮像表示装置１００は、ディスプレイ２に例えばカメラ１からの画像を動画表示する。
【００２６】
撮像表示装置１００の起動状態で、左ボタン３Ｌを５秒以上押下し続けると撮像表示装置１００が停止動作を開始する。停止動作を開始すると停止動作画面がディスプレイ２に表示され、約１分以内に停止動作が完了して電源ランプ１２が赤色に点灯して停止状態となる。
【００２７】
続いて図２〜図５を参照して撮像表示装置１００の使用例について説明する。図２に示す撮像表示装置１００は、例えばメガネ店内に設置されたテーブル１５の上に置かれている。メガネ購入者は、店内に用意された複数のメガネの中から好みのメガネを選択して試着し、椅子１６に座ってディスプレイ２の正面を向く。このとき、カメラ１が購入者の姿を撮影すると共にセンサー４が購入者を検出する。ディスプレイ２は、カメラ１により撮影された画像を左画面２Ｌ及び右画面２Ｒにリアルタイムで動画表示する。この場合、図３Ａに示すように、ディスプレイ２の左画面２Ｌと右画面２Ｒには同一の画像がリアルタイムで動画表示されている。すなわち、図３Ａに示すディスプレイ２の左画面２Ｌ及び右画面２Ｒには、メガネ１３を試着した購入者の姿がリアルタイムで動画表示されている。なお、椅子１６は、座る位置の高さを調整する機能を有している。これにより、カメラ１により撮影する位置に被写体の位置を合わせることができる。もちろん、ディスプレイ２の下部に設けられた接続部１０ａを回動軸にしてディスプレイ２を回動させてカメラ１の位置を調整するようにしてもよい。
【００２８】
次に購入者は左ボタン３Ｌ又は右ボタン３Ｒを押下して、メガネ１３を試着した姿を撮影してディスプレイ２の左画面２Ｌ又は右画面２Ｒに静止画表示する。例えば、図３Ｂに示すように購入者は左ボタン３Ｌを押下して、メガネ１３を試着した姿を撮影してディスプレイ２の左画面２Ｌに静止画表示する。この場合、図３Ｂに示す右画面２Ｒには、メガネ１３を試着した姿がリアルタイムで動画表示されている。
【００２９】
次に購入者は、メガネ１３を外して店内のメガネの中から好みのメガネ１４を選択して試着し、椅子１６に座ってディスプレイ２の正面を向く。このとき、カメラ１が購入者の姿を撮影すると共にセンサー４が購入者を検出する。ディスプレイ２は、カメラ１により撮影された画像を右画面２Ｒにのみリアルタイムで動画表示する。これにより、ディスプレイ２の右画面２Ｒには、メガネ１４を試着した姿が動画表示される。この場合、図４Ａに示すようにディスプレイ２の左画面２Ｌには、先ほど撮影したメガネ１３を試着した姿を撮影した画像が静止画表示されている。
【００３０】
次に購入者は例えば右ボタン３Ｒを押下して、図４Ｂに示すようにメガネ１４を試着した姿を撮影してディスプレイ２の右画面２Ｒに静止画表示する。図４Ｂに示すディスプレイ２の左画面２Ｌ及び右画面２Ｒには、それぞれ異なるメガネを試着した姿が静止画表示されている。ここで購入者は、試着したメガネ１４を外して自分の度数付きのメガネを装着して、ディスプレイ２に表示されたメガネ１３，１４の試着姿を比較する。購入者は、自分の度数付きのメガネを装着しているので、メガネ１３，１４の試着姿をはっきりと確認することができる。従来は、度数の入っていない店内のメガネを試着した状態で、鏡に映った自分の試着姿を確認していたので、鏡に映った自分の試着姿をはっきりと確認することが難しかった。
【００３１】
なお、図４Ｂに示す状態から、例えば購入者が左ボタン３Ｌを押下すると、ディスプレイ２は、再びカメラ１により撮影された画像を左画面２Ｌにリアルタイムで動画表示する。これにより、再び他のメガネを試着した姿を撮影することができる。この場合、図４Ｂに示すディスプレイ２の右画面２Ｒには、メガネ１４を試着した姿が静止画表示されている。
【００３２】
購入者が購入するメガネが決定して椅子１６から立ち上がってディスプレイ２の正面から離れ、センサー４が購入者を検出しない一定の時間（例えば１０秒〜３分間）が経過すると、図５に示すように、ディスプレイ２の全面には例えば広告用の動画が表示される。これにより、撮像表示装置１００が広告用の媒体にもなるので、購入者に対してメガネの購入を喚起できるようになる。
【００３３】
また、図５に示す広告用の動画がディスプレイ２の画面に表示された状態でセンサー４が購入者を検出すると、図３Ａに示したようにディスプレイ２は、カメラ１により撮影された画像を左画面２Ｌ及び右画面２Ｒにリアルタイムで動画表示するように切り替えられる。
【００３４】
続いて図６を参照して撮像表示装置１００の制御系の構成例について説明する。図６に示す撮像表示装置１００は、音声データ及び画像データを処理する画像処理部５を備えている。この画像処理部５はカメラ１に接続され、カメラ１により撮像された画像データを処理してディスプレイ２に出力する。ディスプレイ２は、画像処理部５から出力された画像データを左画面２Ｌ又は右画面２Ｒ若しくは左画面２Ｌ及び右画面２Ｒに表示する。
【００３５】
画像処理部５は、制御部５０、インターフェース部５１，５２、メモリ５３〜５５を備えている。インターフェース部５１は、カメラ１から出力された画像データを入力して画像用のメモリ５３に出力する。画像用のメモリ５３の領域は、左画面用の領域および右画面用の領域から構成されている。このメモリ５３の左画面用の領域にはディスプレイ２の左画面２Ｌに表示する画像データが記憶され、メモリ５３の右画面用の領域にはディスプレイ２の右画面２Ｒに表示する画像データが記憶される。
【００３６】
制御部５０は、画像用のメモリ５３を参照して左画面用又は右画面用の画像データを取得してメモリ５４を介してディスプレイ２に出力する。例えば、制御部５０は、メモリ５３の左画面用の領域から動画像データを取得してメモリ５４を介してディスプレイ２に出力する。ディスプレイ２は左画面２Ｌに画像を動画表示する。制御部５０は、左ボタン３Ｌが押下されて操作信号を入力し、メモリ５３の左画面用の領域から静止画像データを取得してメモリ５４を介してディスプレイ２に出力する。ディスプレイ２は左画面２Ｌに画像を静止画表示する。
【００３７】
同様に、制御部５０は、メモリ５３の右画面用の領域から動画像データを取得してメモリ５４を介してディスプレイ２に出力する。ディスプレイ２は右画面２Ｒに画像を動画表示する。制御部５０は、右ボタン３Ｒが押下されて操作信号を入力し、メモリ５３の右画面用の領域から静止画像データを取得してメモリ５４を介してディスプレイ２に出力する。ディスプレイ２は右画面２Ｒに画像を静止画表示する。
【００３８】
画像処理部５のインターフェース部５２は外部メモリ７、プリンタ８及び監視モニタ９に接続されている。制御部５０は、画像用のメモリ５３に記憶された画像データを、インターフェース部５２を介して外部メモリ７、プリンタ８及び監視モニタ９に出力する。プリンタ８は、この画像データに基づいて用紙に画像を印刷する。これにより、購入者がメガネを試着した姿を用紙にプリントアウトできるので、撮像表示装置１００の前から離れた場所でも購入の検討ができる。監視モニタ９は、画像データに基づいてモニタに画像を表示する。例えば、監視モニタ９は従業員専用ルームに設置され、広角モードで撮像された画像をモニタに表示する。これにより、店内の様子を監視できるようになる。
【００３９】
外部メモリ７は例えばＵＳＢメモリが使用され、広告用の動画像などが記憶されている。インターフェース部５２は、外部メモリ７が装着されると外部メモリ７に記憶された広告用の画像データを読み出してコンテンツ用のメモリ５５に出力する。制御部５０は、センサー４から検出信号を一定時間において入力しない場合、メモリ５５に記憶されたコンテンツ用の画像をディスプレイ２に表示させる。例えば、制御部５０は、メモリ５５から広告用の画像データを読み出してディスプレイ用のメモリ５４を介してディスプレイ２に出力する。ディスプレイ２は、広告用の画像を全画面に動画表示する。また、制御部５０は、コンテンツ用のメモリ５５から広告用の音声データを読み出して音声信号をスピーカー６に出力する。スピーカー６は、音声信号に基づいて鳴動する。なお、コンテンツ用のメモリ５５には、広告用の動画像に限らず風景などの静止画像を記憶するようにしても良い。
【００４０】
制御部５０はセンサー４から検出信号を入力して、ディスプレイ２の表示を広告用の動画像からカメラ１により撮像した動画像に切り替える。例えば、制御部５０はセンサー４から検出信号を入力するまでは、コンテンツ用のメモリ５５から広告用の画像データを読み出してメモリ５４を介してディスプレイ２に出力する。ディスプレイ２は、広告用の画像を全画面に動画表示する。制御部５０はセンサー４から検出信号を入力するとメモリ５５から広告用の画像データを読み出すことを停止し、メモリ５３の左画面用の領域から動画像データを取得してメモリ５４を介してリアルタイムでディスプレイ２に出力する。ディスプレイ２は左画面２Ｌに画像を動画表示する。同時に、制御部５０は、メモリ５３の右画面用の領域から動画像データを取得してメモリ５４を介してリアルタイムでディスプレイ２に出力する。ディスプレイ２は右画面２Ｒに画像を動画表示する。このように、ディスプレイ２は、左画面２Ｌ及び右画面２Ｒに同じ画像を動画表示する。
【００４１】
制御部５０は、左ボタン３Ｌ又は右ボタン３Ｒが押下されて操作信号を入力し、画像用のメモリ５３から静止画像データを取得してメモリ５４を介してディスプレイ２に出力する。ディスプレイ２はボタンが押された画面側に画像を静止画表示する。
【００４２】
続いて、図７を参照して撮像表示装置１００の動作例について説明する。この例で、コンテンツ用のメモリ５５には、広告用の画像データ及び音声データが記憶されている。また、ディスプレイ２には広告用の画像が表示されている。
【００４３】
これらを条件として、図７に示すステップＳＴ１で、画像処理部５は、センサー４から検出信号を入力したか否かを判定する。センサー４から検出信号を入力したと判定した場合、ステップＳＴ４に移行する。ステップＳＴ４で、画像処理部５は、タイムカウントを開始する。例えば画像処理部５は、不図示のタイマーをカウント開始してステップＳＴ５に移行する。
【００４４】
ステップＳＴ５で、画像処理部５は、広告用の画像を表示しているか否かを判定する。広告用の画像を表示していると判定した場合ステップＳＴ６に移行する。ステップＳＴ６で、画像処理部５は、広告用の画像を停止する。例えば、制御部５０が、メモリ５５から広告用の画像データおよび広告用の音声データを読み出すことを停止する。続いてステップＳＴ７に移行する。
【００４５】
ステップＳＴ７で、画像処理部５は、ディスプレイ２の左画面２Ｌ及び右画面２Ｒにカメラ１からの画像を動画表示する（図３Ａ参照）。例えば、制御部５０は、メモリ５３の左画面用の領域から動画像データを取得してリアルタイムでディスプレイ２の左画面２Ｌに画像を動画表示させる。また、制御部５０は、メモリ５３の右画面用の領域から動画像データを取得してリアルタイムでディスプレイ２の右画面２Ｒに画像を動画表示させる。続いてステップＳＴ１０に移行する。
【００４６】
ステップＳＴ１０で、画像処理部５は、ディスプレイ２の左画面２Ｌに静止画像が表示されているか否かを判定する。ディスプレイ２の左画面２Ｌに静止画像が表示されていないと判定した場合、ステップＳＴ１１に移行する。
【００４７】
ステップＳＴ１１で、画像処理部５は、左ボタン３Ｌが押下されて出力された操作信号を入力したか否かを判定する。左ボタン３Ｌの押下を示す操作信号を入力していないと判定した場合、ステップＳＴ１５に移行し、左ボタン３Ｌの押下を示す操作信号を入力したと判定した場合、ステップＳＴ１２に移行する。
【００４８】
ステップＳＴ１２で、画像処理部５は、静止画像を取得してディスプレイ２の左画面２Ｌに表示する（図３Ｂ参照）。例えば、制御部５０は、メモリ５３の左画面用の領域から静止画像データを取得してディスプレイ２の左画面２Ｌに画像を静止画表示してステップＳＴ１５に移行する。
【００４９】
ステップＳＴ１５で、画像処理部５は、ディスプレイ２の右画面２Ｒに静止画像が表示されているか否かを判定する。ディスプレイ２の右画面２Ｒに静止画像が表示されていないと判定した場合、ステップＳＴ１６に移行する。
【００５０】
ステップＳＴ１６で、画像処理部５は、右ボタン３Ｒが押下されて出力された操作信号を入力したか否かを判定する。右ボタン３Ｒの押下を示す操作信号を入力していないと判定した場合、ステップＳＴ２０に移行し、右ボタン３Ｒの押下を示す操作信号を入力したと判定した場合、ステップＳＴ１７に移行する。
【００５１】
ステップＳＴ１７で、画像処理部５は、静止画像を取得してディスプレイ２の右画面２Ｒに表示する（図４Ｂ参照）。例えば、制御部５０は、メモリ５３の右画面用の領域から静止画像データを取得してディスプレイ２の右画面２Ｒに画像を静止画表示してステップＳＴ２０に移行する。
【００５２】
ステップＳＴ２０で、画像処理部５は、電源がＯＦＦされたか否かを判定する。電源がＯＦＦされない場合ステップＳＴ１に戻る。このステップＳＴ１で、例えば購入者がメガネの試着を終了して撮像表示装置１００の前から離れて、画像処理部５がセンサー４から検出信号を入力していないと判定した場合、ステップＳＴ２に移行する。
【００５３】
ステップＳＴ２で、画像処理部５は、タイマーがタイムアウトしたか否かを判定する。画像処理部５は、タイマーが３分間経過してタイムアウトしたと判定した場合にはステップＳＴ３に移行する。
【００５４】
ステップＳＴ３で、画像処理部５は、ディスプレイ２に広告用の画像を表示する（図５参照）。例えば、制御部５０が、メモリ５５から広告用の画像データを読み出してディスプレイ２に広告用の画像を全画面に動画表示させる。また、制御部５０は、メモリ５５から広告用の音声データを読み出して音声信号をスピーカー６に出力してスピーカー６を鳴動させる。画像処理部５はセンサー４から検出信号を入力するまで、ディスプレイ２に広告用の画像を表示する。例えば、広告用の画像は、１サイクルが２〜３分の動画を繰り返し流す。
【００５５】
また、上述のステップＳＴ１０で、画像処理部５は、ディスプレイ２の左画面２Ｌに静止画像が既に表示されていると判定した場合、ステップＳＴ１３に移行する。ステップＳＴ１３で、画像処理部５は、左ボタン３Ｌの押下を示す操作信号を入力したか否かを判定する。左ボタン３Ｌの押下を示す操作信号を入力していないと判定した場合、ステップＳＴ１５に移行し、この操作信号を入力したと判定した場合、ステップＳＴ１４に移行する。
【００５６】
ステップＳＴ１４で、画像処理部５は、ディスプレイ２の左画面２Ｌにカメラ１からの画像を動画表示する。例えば、制御部５０は、メモリ５３の左画面用の領域から動画像データを取得してディスプレイ２の左画面２Ｌに画像を動画表示する。このように、ディスプレイ２の左画面２Ｌに静止画像が表示された状態で左ボタン３Ｌを押下すれば、再びカメラ１からの画像を動画表示する。続いてステップＳＴ１５に移行する。
【００５７】
同様に、上述のステップＳＴ１５で、画像処理部５は、ディスプレイ２の右画面２Ｒに静止画像が既に表示されていると判定した場合、ステップＳＴ１８に移行する。ステップＳＴ１８で、画像処理部５は、右ボタン３Ｒの押下を示す操作信号を入力したか否かを判定する。右ボタン３Ｒの押下を示す操作信号を入力していないと判定した場合、ステップＳＴ２０に移行し、この操作信号を入力したと判定した場合、ステップＳＴ１８に移行する。
【００５８】
ステップＳＴ１８で、画像処理部５は、ディスプレイ２の右画面２Ｒにカメラ１からの画像を動画表示する。例えば、制御部５０は、メモリ５３の右画面用の領域から動画像データを取得してディスプレイ２の右画面２Ｒに画像を動画表示する。このように、ディスプレイ２の右画面２Ｒに静止画像が表示された状態で右ボタン３Ｒを押下すれば、再びカメラ１からの画像を動画表示する。続いてステップＳＴ２０に移行する。ステップＳＴ２０で、画像処理部５は、電源がＯＦＦされたと判定した場合、表示処理の終了となる。
【００５９】
このように、本発明に係る撮像表示装置１００及び撮像表示方法によれば、被写体を検出するセンサー４から検出信号を入力して、カメラ１により撮像された画像をディスプレイ２の左画面２Ｌ及び右画面２Ｒに動画表示し、操作部３の左ボタン３Ｌ又は右ボタン３Ｒが押下されて操作信号を入力して画像をディスプレイ２の左画面２Ｌ又は右画面２Ｒに静止画表示するものである。
【００６０】
これにより、物品を販売する店内に撮像表示装置１００を設置しておけば、購入者は、品物を試着した自分の姿を自分自身で撮影できるようになり、撮影した複数枚の画像を分割画面で容易に比較できるようになる。従って、購入者が１人で品物を選択することができるので店員の人数を減らすことができ、物品の単価を下げることができるようになる。
【実施例２】
【００６１】
続いて、図８を参照して本発明に係る第２の実施形態としての撮像表示装置１００Ａについて説明する。図８に示す撮像表示装置１００Ａが図６に示した撮像表示装置１００と異なる構成は、センサー４を備えていない点である。なお、図８において、図６に示した撮像表示装置１００と同じ構成要素には同一符号を付し、その詳細な説明は省略する。
【００６２】
この例では被写体を検出するセンサー４を備えていないので、操作部３の左ボタン３Ｌ及び右ボタン３Ｒを押下することにより、ディスプレイ２の表示を広告の動画像からカメラ１からの動画像に切り替える。例えばディスプレイ２に広告の動画像を表示中に、画像処理部５Ａは、左ボタン３Ｌ又は右ボタン３Ｒが押下されて操作信号を入力した場合、カメラ１により撮像された画像をディスプレイ２の左画面２Ｌ及び右画面２Ｒにリアルタイムで動画表示する。これにより、センサー４を具備しなくても、ディスプレイ２の表示を広告の動画像からカメラ１からの動画像に切り替えることができるので、コストを削減できる。
【００６３】
次に、画像処理部５Ａの制御部５０Ａは、左ボタン３Ｌが押下されて操作信号を入力すると、メモリ５３の左画面用の領域から静止画像データを取得してメモリ５４を介してディスプレイ２の左画面２Ｌに画像を静止画表示する。また、制御部５０Ａは、右ボタン３Ｒが押下されて操作信号を入力すると、メモリ５３の右画面用の領域から静止画像データを取得してメモリ５４を介してディスプレイ２の右画面２Ｒに画像を静止画表示する。
【００６４】
次に、制御部５０Ａは、左ボタン３Ｌが押下されて操作信号を入力すると、メモリ５３の左画面用の領域から動画像データを取得してメモリ５４を介してディスプレイ２の左画面２Ｌに画像を再びリアルタイムで動画表示する。また、制御部５０Ａは、右ボタン３Ｒが押下されて操作信号を入力すると、メモリ５３の右画面用の領域から動画像データを取得してメモリ５４を介してディスプレイ２の右画面２Ｒに画像を再びリアルタイムで動画表示する。
【００６５】
同様に、制御部５０Ａは、左ボタン３Ｌ又は右ボタン３Ｒが押下されて操作信号を入力すると、メモリ５３から静止画像データを取得してメモリ５４を介してディスプレイ２の左画面２Ｌ又は右画面２Ｒに画像を静止画表示する。これにより、購入者は、例えばメガネを試着した姿を繰り返して撮影してディスプレイ２の左画面２Ｌ又は右画面２Ｒに表示することができる。従って、購入者は自分の度数付きのメガネを装着した状態で、ディスプレイ２の左画面２Ｌ又は右画面２Ｒに表示されたメガネの試着姿の画像を比較しながらメガネを選択することができる。
【００６６】
続いて、図９を参照して撮像表示装置１００Ａの動作例について説明する。図９に示す撮像表示装置１００Ａの動作例において、図７に示した撮像表示装置１００の動作例と異なる処理ステップは、ステップＳＴ１Ａのみである。この例では、操作部３の左ボタン３Ｌ又は右ボタン３Ｒを押下することにより、ディスプレイ２の表示を広告の動画像からカメラ１からの動画像に切り替える。なお、図７に示した撮像表示装置１００の処理ステップと同じ処理ステップは、その詳細な説明は省略する。
【００６７】
この例で、コンテンツ用のメモリ５５には、広告用の画像データ及び音声データが記憶されている。また、ディスプレイ２には広告用の画像が表示されている。これらを条件として、図９に示すステップＳＴ１Ａで、画像処理部５Ａは、操作部３の左ボタン３Ｌ又は右ボタン３Ｒが押下されて操作信号を入力したか否かを判定する。操作部３の左ボタン３Ｌ又は右ボタン３Ｒが押下されて操作信号を入力したと判定した場合、ステップＳＴ４Ａに移行する。
【００６８】
ステップＳＴ４Ａで、画像処理部５Ａはタイムカウントを開始してステップＳＴ５Ａに移行する。ステップＳＴ５Ａで、画像処理部５Ａは、広告用の画像を表示しているか否かを判定する。広告用の画像を表示していると判定した場合ステップＳＴ６Ａに移行する。ステップＳＴ６Ａで、画像処理部５Ａは広告用の画像を停止してステップＳＴ７Ａに移行する。
【００６９】
ステップＳＴ７Ａで、画像処理部５Ａは、ディスプレイ２の左画面２Ｌ及び右画面２Ｒにカメラ１からの画像をリアルタイムで動画表示してステップＳＴ１０Ａに移行する。ステップＳＴ１０Ａで、画像処理部５Ａは、ディスプレイ２の左画面２Ｌに静止画像が表示されているか否かを判定し、ディスプレイ２の左画面２Ｌに静止画像が表示されていないと判定した場合、ステップＳＴ１１Ａに移行する。
【００７０】
ステップＳＴ１１Ａで、画像処理部５Ａは、左ボタン３Ｌが押下されて出力された操作信号を入力したか否かを判定し、この操作信号を入力したと判定した場合にはステップＳＴ１２Ａに移行する。ステップＳＴ１２Ａで、画像処理部５Ａは、静止画像を取得してディスプレイ２の左画面２Ｌに表示してステップＳＴ１５Ａに移行する。ステップＳＴ１５Ａで、画像処理部５Ａは、ディスプレイ２の右画面２Ｒに静止画像が表示されているか否かを判定し、ディスプレイ２の右画面２Ｒに静止画像が表示されていないと判定した場合、ステップＳＴ１６Ａに移行する。
【００７１】
ステップＳＴ１６Ａで、画像処理部５Ａは、右ボタン３Ｒが押下されて出力された操作信号を入力したか否かを判定し、この操作信号を入力したと判定した場合にはステップＳＴ１７Ａに移行する。ステップＳＴ１７Ａで、画像処理部５Ａは、静止画像を取得してディスプレイ２の右画面２Ｒに表示してステップＳＴ２０Ａに移行する。
【００７２】
ステップＳＴ２０Ａで、画像処理部５Ａは、電源がＯＦＦされたか否かを判定する。電源がＯＦＦされない場合ステップＳＴ１Ａに戻る。このステップＳＴ１Ａで、例えば購入者がメガネの試着を終了して撮像表示装置１００Ａの前から離れて、画像処理部５Ａが操作部３の左ボタン３Ｌ又は右ボタン３Ｒから操作信号を入力していないと判定した場合、ステップＳＴ２Ａに移行する。
【００７３】
ステップＳＴ２Ａで、画像処理部５Ａは、タイマーがタイムアウトしたか否かを判定し、タイマーがタイムアウトしたと判定した場合にはステップＳＴ３Ａに移行する。ステップＳＴ３Ａで、画像処理部５Ａは、ディスプレイ２に広告用の画像を表示する。画像処理部５Ａは左ボタン３Ｌ又は右ボタン３Ｒから操作信号を入力するまで、ディスプレイ２に広告用の画像を表示する。
【００７４】
このように、本発明に係る撮像表示装置１００Ａ及び撮像表示方法によれば、操作部３の左ボタン３Ｌ又は右ボタン３Ｒが押下されて操作信号を入力して、カメラ１により撮像された画像をディスプレイ２の左画面２Ｌ及び右画面２Ｒに動画表示し、左ボタン３Ｌ又は右ボタン３Ｒが押下されて操作信号を入力して画像をディスプレイ２の左画面２Ｌ又は右画面２Ｒに静止画表示するものである。
【００７５】
このように、センサー４からの検出信号に基づいて広告画面からカメラ１により撮像された画面へと切り替えを行なわずに、操作部３からの操作信号に基づいて広告画面からカメラ１からの画面に切り替えを行うようにしたので、センサーを具備する必要がなくコストを削減できる。
【００７６】
続いて図１０〜図１２を参照して、撮像表示装置１００Ｂの設置例について説明する。図１０Ａ及び図１０Ｂに示す撮像表示装置１００Ｂは、撮像表示装置１００の支持台１１及び接続部１０ａを取り外した状態で、店内の壁面１７のフック１８に掛けられて設置されている。この例で、図１１に示すように撮像表示装置１００Ｂの裏面側には、２箇所に孔部１９，１９が設けられている。これらの孔部１９，１９に、壁面１７に打ち込まれたフック１８，１８が引っ掛けられることで、撮像表示装置１００Ｂが壁面１７に設置されている。このように、撮像表示装置１００Ｂを壁面１７に掛ければ、設置場所を最小限に抑えることができる。なお、孔部１９，１９は、ＶＥＳＡ（Video Electronics Standards Association）の規格に対応している。
【００７７】
図１２Ａ及び図１２Ｂに示す撮像表示装置１００Ｂは、スタンド２０に上下動自在に設置されている。スタンド２０は、２本のポール２０ａ，２０ａが立設されている。ポール２０ａ，２０ａの高さは１９０ｃｍ〜２００ｃｍ程度であり、ポール２０ａの１００ｃｍ〜１８０ｃｍの区間には、一定間隔で複数の切込部２０ｂが設けられている。
【００７８】
図１２Ｂに示すように撮像表示装置１００Ｂの背面には調整具２１，２１が設けられている。調整具２１，２１は、ポール２０ａ，２０ａの夫々に嵌合される。調整具２１，２１は、ポール２０ａの切込部２０ｂに嵌合される不図示の突起部を備えている。この突起部はスライド自在に設けられ、圧縮バネにより付勢されている。
【００７９】
撮像表示装置１００Ｂの高さを自分の身長に合わせる場合、購入者は、切込部２０ｂに嵌合された突起部をレバーなどにより引っ込める。これにより、調整具２１の突起部が切込部２０ｂから抜け出すので、撮像表示装置１００Ｂを上下動することができる。購入者は、適当な位置でレバーを解放して調整具２１の突起部をポール２０ａの切込部２０ｂに嵌合させて固定する。これにより、撮像表示装置１００Ｂの高さを自分の身長に合わせることができる。
【００８０】
なお、本発明に係る撮像表示装置１００，１００Ａ，１００Ｂは、自分の度数付きのメガネを外して視力が低下した状態で試着したメガネの姿を判断する場合に特に有効であるが、もちろんメガネを試着した姿を撮影して表示することに限定されない。例えば、アクセサリーを試着した場合や化粧品を試した場合にも適用でき、複数枚撮影した画像を見比べながら客観的に判断することができる。
【００８１】
また、撮影した画像を削除するクリア機能を備えることも考えられる。この場合、例えばクリアボタンを押下すれば、撮影した画像を消去する。これにより、画像の消去を明確にできる。また、撮影した画像を連続して表示する機能を備えることも考えられる。この場合、例えば次へ進むボタンを押下すれば、過去に撮影した画像を順次表示する。これにより、２枚以上の画像を確認できる。
【００８２】
また、全画面に画像を表示する機能を備えることも考えられる。この場合、全画像表示ボタンを押下すれば、過去に撮影した画像を全て一画面に表示し、その中から２枚を選択して表示する。また、複数の角度から撮影する機能を備えることも考えられる。この場合、複数台のカメラ、例えば３台のカメラを正面、左斜め、右斜めに配置して、異なる角度から撮影する。これにより、様々な角度からメガネを試着した姿を確認することができる。
【産業上の利用可能性】
【００８３】
本発明は、商品を試着した姿を自分自身で撮影して表示する撮像表示装置及び撮像表示方法に適用して極めて好適である。
【符号の説明】
【００８４】
１・・・カメラ（撮像部）、２・・・ディスプレイ（表示部）、２Ｌ・・・左画面、２Ｒ・・・右画面、３・・・操作部、３Ｌ・・・左ボタン、３Ｒ・・・右ボタン、４・・・センサー、５，５Ａ・・・画像処理部、５５・・・コンテンツ用のメモリ、１００，１００Ａ，１００Ｂ・・・撮像表示装置
【図１】
0005453015.tif 000002
【図２】
0005453015.tif 000003
【図３】
0005453015.tif 000004
【図４】
0005453015.tif 000005
【図５】
0005453015.tif 000006
【図６】
0005453015.tif 000007
【図７】
0005453015.tif 000008
【図８】
0005453015.tif 000009
【図９】
0005453015.tif 000010
【図１０】
0005453015.tif 000011
【図１１】
0005453015.tif 000012
【図１２】
0005453015.tif 000013